(57)【要約】【課題】複数の端末装置のそれぞれが関係する通信を正常に行うことができるか否かの点検と、複数の端末装置のそれぞれからの所定期間分の稼動情報の収集とを、効率的に行うことができる遠隔監視装置の提供。【解決手段】監視センター装置１の監視センター制御部５が、予め設定された時間帯内において収集センター装置３０により所定期間分の稼動情報を収集する対象となっている端末装置が関係する通信を正常に行うことができるか否かの点検を、所定期間分の稼動情報を収集するための通信に成功したか否か基づいて行うようにし、予め設定された時間帯内において収集センター装置３０により所定期間分の稼動情報を収集する対象となっていない端末装置が関係する通信を正常に行うことができるか否かの点検を、通信テストに成功したか否かに基づいて行うようにした。【選択図】図１
2007129315.tif 000002
【特許請求の範囲】
【請求項１】
設備機器の稼動情報を発信する複数の端末装置と、これらの端末装置のそれぞれと回線接続され、これらの端末装置のそれぞれからの稼動情報を基に、これらの端末装置のそれぞれに対応する設備機器を監視する監視センター装置とを備える遠隔監視装置において、
前記複数の端末装置のそれぞれが、自身に対応する設備機器の所定期間分の稼動情報を記録するように設定されたものであるとともに、
前記複数の端末装置のそれぞれと回線接続され、これらの端末装置から前記所定期間分の稼動情報を収集する収集センター装置と、
予め設定された時間帯内において前記収集センター装置により前記所定期間分の稼動情報を収集する対象となっている端末装置を、前記複数の端末装置のうちから特定し、特定した端末装置が関係する通信を正常に行うことができるか否かの点検を、前記所定期間分の稼動情報を収集するための通信に成功したか否か基づいて行う第１点検手段と、
前記予め設定された時間帯内において前記収集センター装置により前記所定期間分の稼動情報を収集する対象となっていない端末装置を、前記複数の端末装置のうちから特定し、特定した端末装置が関係する通信を正常に行うことができるか否かの点検を、通信テストに成功したか否かに基づいて行う第２点検手段とを備えることを特徴とする遠隔監視装置。
【請求項２】
前記予め設定された時間帯内において前記収集センター装置により前記所定期間分の稼動情報を収集する対象となっていない端末装置が関係する通信を正常に行うことができるか否かの点検を、前記通信テストを行なう予定時刻よりも前に行った別の通信に成功したか否かに基づいて行う第３点検手段を備え、
この第３点検手段による点検を行った端末装置および通信回線に対しては、前記第２点検手段による点検を行わないように設定されたことを特徴とする請求項１記載の遠隔監視装置。
【発明の詳細な説明】
【技術分野】
【０００１】
本発明は、設備機器の稼働中の各種計測値を含む稼動情報を発信する複数の端末装置と、これらの端末装置のそれぞれと回線接続され、これらの端末装置のそれぞれからの稼動情報を基に、これらの端末装置のそれぞれに対応する設備機器を監視する監視センター装置とを備える遠隔監視装置に関する。
【背景技術】
【０００２】
遠隔監視装置としては、特許文献１に示される従来技術がある。この従来技術は、エレベータや空調機器などの設備機器の稼動情報を発信する複数の端末装置と、これらの端末装置のそれぞれと回線接続され、これらの端末装置のそれぞれからの稼動情報を基に、これらの端末装置のそれぞれに対応する設備機器を監視する監視センター装置とを備えている。
【０００３】
また、前記従来技術は、監視センター装置と複数の端末装置のそれぞれとが正常に通信を行うことができるか否かを点検するための通信テストを行うように設定されている。通信テストは、監視センター装置がテスト信号を端末装置に発信した後に、テスト信号に対応する応答信号が返信されるかを確認する、というものである。監視センター装置が応答信号を受信したということは通信テストに成功したということであって、テスト信号の発信先とした端末装置が関係する通信を正常に行うことができるということである。逆に、監視センター装置が応答信号を受信しなかったということは通信テストに失敗したということであって、テスト信号の発信先とした端末装置が関係する通信を正常に行うことができないということである。また、通信を正常に行うことができない状態とは、端末装置および通信回線の少なくとも一方に異常があるということである。
【特許文献１】特許第２９５０９６５号公報
【発明の開示】
【発明が解決しようとする課題】
【０００４】
ところで、設備機器の稼動情報は、ある程度の期間分まとまると、設備機器の保守や改修計画を最適化するためのデータベースとして用いることができるが、前述した従来技術は、データベースの作成に十分な量の稼動情報を、効率よく収集することを考慮した構成ではなかった。
【０００５】
そこで、各端末装置が設備機器の所定期間分の稼動情報を記録するように設定し、各端末装置から所定期間分の稼動情報を収集する収集センター装置を、監視センター装置に付設する構成が提案されている。しかし、この構成では、監視センター装置から端末装置にテスト信号を発信したものの、その端末装置が収集センター装置との間で通信中であるために点検を行えなかったり、逆に、収集センター装置が端末装置から所定期間分の稼動情報を収集しようとしたものの、その端末装置が監視センター装置との間で通信中であるために所定期間分の稼動情報を収集できなかったりするというように、監視センター装置と各端末装置との通信や、収集センター装置と各端末装置との通信を、効率良く行えないという事態の発生が懸念される。
【０００６】
本発明は、前述の実状を考慮してなされたものであり、その目的は、複数の端末装置のそれぞれが関係する通信を正常に行うことができるか否かの点検と、複数の端末装置のそれぞれからの所定期間分の稼動情報の収集とを、効率的に行うことができる遠隔監視装置を提供することにある。
【課題を解決するための手段】
【０００７】
〔１〕本発明は、前述の目的を達成するために、設備機器の稼動情報を発信する複数の端末装置と、これらの端末装置のそれぞれと回線接続され、これらの端末装置のそれぞれからの稼動情報を基に、これらの端末装置のそれぞれに対応する設備機器を監視する監視センター装置とを備える遠隔監視装置において、前記複数の端末装置のそれぞれが、自身に対応する設備機器の所定期間分の稼動情報を記録するように設定されたものであるとともに、前記複数の端末装置のそれぞれと回線接続され、これらの端末装置から前記所定期間分の稼動情報を収集する収集センター装置と、予め設定された時間帯内において前記収集センター装置により前記所定期間分の稼動情報を収集する対象となっている端末装置を、前記複数の端末装置のうちから特定し、特定した端末装置が関係する通信を正常に行うことができるか否かの点検を、前記所定期間分の稼動情報を収集するための通信に成功したか否か基づいて行う第１点検手段と、前記予め設定された時間帯内において前記収集センター装置により前記所定期間分の稼動情報を収集する対象となっていない端末装置を、前記複数の端末装置のうちから特定し、特定した端末装置が関係する通信を正常に行うことができるか否かの点検を、通信テストに成功したか否かに基づいて行う第２点検手段とを備えることを特徴とする。
【０００８】
このように構成した本発明では、第１点検手段が、予め設定された時間帯内において収集センター装置により所定期間分の稼動情報を収集する対象となっている端末装置を、複数の端末装置のうちから特定し、特定した端末装置が関係する通信を正常に行うことができるか否かの点検を、所定期間分の稼動情報を収集するための通信に成功したか否か基づいて行う。また、第２点検手段が、予め設定された時間帯内において収集センター装置により所定期間分の稼動情報を収集する対象となっていない端末装置を、複数の端末装置のうちから特定し、特定した端末装置が関係する通信を正常に行うことができるか否かの点検を、通信テストに成功したか否かに基づいて行う。これらにより、複数の端末装置のそれぞれが関係する通信を正常に行うことができるか否かの点検と、複数の端末装置のそれぞれからの所定期間分の稼動情報の収集とを、効率的に行うことができる。
【０００９】
〔２〕本発明は、〔１〕記載の発明において、前記予め設定された時間帯内において前記収集センター装置により前記所定期間分の稼動情報を収集する対象となっていない端末装置が関係する通信を正常に行うことができるか否かの点検を、前記通信テストを行なう予定時刻よりも前に行った別の通信に成功したか否かに基づいて行う第３点検手段を備え、この第３点検手段による点検を行った端末装置および通信回線に対しては、前記第２点検手段による点検を行わないように設定されたことを特徴とする。
【００１０】
このように構成した本発明では、予め設定された時間帯内において収集センター装置により所定期間分の稼動情報を収集する対象となっていない端末装置が、通信テストを行う予定時刻よりも前に、この通信テストとは別の通信を行った場合、その端末装置が関係する通信を正常に行うことができるか否かの点検を、第３点検手段がその別の通信に成功したか否かに基づいて行う。そして、第３点検手段による点検を行った端末装置および通信回線に対しては、第２点検手段による点検を行わない。これにより、通信テストを行うための通信回線の使用頻度を少なくできる。
【発明の効果】
【００１１】
本発明によれば、複数の端末装置のそれぞれが関係する通信を正常に行うことができるか否かの点検と、複数の端末装置のそれぞれからの所定期間分の稼動情報の収集とを、効率的に行うことができる。これにより、監視センター装置と各端末装置との通信や、収集センター装置と各端末装置との通信を、効率良く行うことができる。
【発明を実施するための最良の形態】
【００１２】
本発明の遠隔監視装置の一実施形態について図１を用いて説明する。図１は本発明の遠隔監視装置の一実施形態の構成を示すブロック図である。
【００１３】
本実施形態は、設備機器の稼動情報を発信する複数の端末装置４０−１〜４０−ｎと、これらの端末装置４０−１〜４０−ｎのそれぞれと回線接続され、端末装置４０−１〜４０−ｎのそれぞれからの稼動情報を基に、端末装置４０−１〜４０−ｎのそれぞれに対応する設備機器を監視する監視センター装置１とを備えている。
【００１４】
端末装置４０−１は、外部と通信を行う通信部４１と、設備機器の稼動情報を保存するためのものであって所定期間分、例えば１ヶ月分の設備機器の稼動情報を記録するのに十分な記憶容量を有する設備情報記録部４２とを備えている。また、この端末装置４０−１は、通信部４１の制御を行ったり、設備情報記録部４２に対する稼動情報の書込みや読出しを行ったりする端末制御部４３を備えている。端末装置４０−２〜４０−ｎのそれぞれの構成も、端末装置４０−１と同様である。
【００１５】
監視センター装置１は、端末装置４０−１〜４０−ｎの情報を登録するための入力操作や、所望の情報の表示が可能な表示・入力部６と、端末装置４０−１〜４０−ｎのそれぞれと回線接続されて稼動情報を受信するための通常の通信を行う通常通信部２と、端末装置４０−１〜４０−ｎのそれぞれと回線接続されて通信テストを行う通信テスト用通信部３と、端末装置４０−１〜４０−ｎの識別番号を含む監視端末装置リストが格納される監視端末装置リスト格納部４と、端末装置４０−１〜４０−ｎのそれぞれから取得した稼動情報を保存する稼動情報記憶部７とを備えている。また、この監視センター装置１は、表示・入力部６、通常通信部２、および通信テスト用通信部３の制御を行ったり、監視端末装置リスト格納部４や稼動情報記憶部７に対する情報の書込みや読出しを行ったりする監視センター制御部５を備えている。
【００１６】
監視センター装置１と端末装置４０−１〜４０−ｎのそれぞれとは、第１通信回線制御装置２１および第２通信回線制御装置２２のいずれか一方によって通信回線群２０のうちから選択される通信回線を介して接続されるようになっている。第１回線制御装置２１は、通常通信部２が指定した端末装置に対応する通信回線を、通信回線群２０のうちから選択するようになっている。第２回線制御装置２２は、通信テスト用通信部３が指定した端末装置に対応する通信回線を、通信回線群２０のうちから選択するようになっている。
【００１７】
また、本実施形態は、収集センター装置３０を備えている。この収集センター装置３０は、端末装置４０−１〜４０−ｎのそれぞれと回線接続されて所定期間、例えば１ヶ月分の稼動情報をまとめて受信するための通信を行う情報収集用通信部３１と、端末装置４０−１〜４０−ｎのそれぞれの識別番号、および、端末装置４０−１〜４０−ｎのそれぞれから１ヶ月分の稼動情報を収集する予定日時を含む収集日時リストが格納される収集日時リスト格納部３２と、情報収集用通信部３１が受信した１ヶ月分の稼動情報を保存する収集情報記憶部３４とを備えている。また、この収集センター装置３０は、情報収集用通信部３１の制御を行ったり、収集日時リスト格納部３２や収集情報記憶部３４に対する情報の書込みや読出しを行ったりする収集センター制御部３３を備えている。
【００１８】
また、情報収集用通信部３１と端末装置４０−１〜４０−ｎのそれぞれとは、第２回線制御装置２２により通信回線群２０のうちから選択された通信回線を介して接続されるようになっている。
【００１９】
また、本実施形態では、収集センター装置３０の収集センター制御部３３が、予め設定された時間帯内において収集センター装置３０により１ヶ月分の稼動情報を収集する対象となっている端末装置を、端末装置４０−１〜４０−ｎのうちから特定し、特定した端末装置が関係する通信を正常に行うことができるか否かの点検を、１ヶ月分の稼動情報を収集するための通信に成功したか否か基づいて行う第１点検手段として機能するようになっている。
【００２０】
言い換えると、収集時刻リストを格納するための収集時刻リスト格納部３５が、収集センター装置３０に設けられていて、収集センター制御部３３が収集時刻リスト格納部３５を利用して次の（１）〜（３）の動作を行うようになっている。
【００２１】
（１）予め設定された時刻になると、収集日時リストを基に収集時刻リストを作成し、収集時刻リスト格納部３５に格納する。収集時刻リストは、前記予め設定された時間帯内において収集センター装置３０により１ヶ月分の稼動情報を収集する対象となっている端末装置の識別番号、および、その端末装置から１ヶ月分の稼動情報を収集する予定時刻を含むものである。
【００２２】
（２）前記予め設定された時間帯になると、収集時刻リスト格納部３５から収集時刻リストを読出し、この収集時刻リストから特定される端末装置のそれぞれから順次１ヶ月分の稼動情報を受信するために情報収集用通信部３１の制御を行う。
【００２３】
（３）情報収集用通信部３１が端末装置から１ヶ月分の稼動情報の受信に成功したか否かを確認する。つまり。１ヶ月分の稼動情報の受信に成功したときは、その稼動情報の発信元である端末装置が関係する通信を正常に行うことができると判定し、タイムアウトやエラーにより１ヶ月分の稼動情報の受信に失敗したときには、その稼動情報の発信元である端末装置が関係する通信を正常に行うことができないと判定する。そして、判定結果を監視センター装置１の稼動情報記憶部７に書き込む。
【００２４】
また、監視センター装置１の監視センター制御部５は、前記予め設定された時間帯内において収集センター装置３０により１ヶ月分の稼動情報を収集する対象となっていない端末装置を、端末装置４０−１〜４０−ｎのうちから特定し、特定した端末装置が関係する通信を正常に行うことができるか否かの点検を、通信テストに成功したか否かに基づいて行う第２点検手段として機能するようになっている。
【００２５】
言い換えると、通信テストリストを格納するための通信テストリスト格納部８が、監視センター装置１に設けられていて、監視センター制御部５が通信テストリスト格納部８を利用して次の（４）〜（６）の動作を行うようになっている。
【００２６】
（４）予め設定された時刻になると、監視端末装置リストと収集日時リストとを基に通信テストリストを作成し、通信テストリスト格納部８に格納する。通信テストリストは、前記予め設定された時間帯内において収集センター装置３０により１ヶ月分の稼動情報を収集する対象となっていない端末装置の識別番号、および、その端末装置との間で通信テストを行う予定時刻を含むものである。通信テストを行う予定時刻は、前記予め設定された時間帯内に均等に分散して定められるようになっている。
【００２７】
（５）前記予め設定された時間帯になると、通信テストリスト格納部８から通信テストリストを読出し、通信テストリストから特定される端末装置のそれぞれに順次テスト信号を発信するための通信テスト用通信部３の制御を行う。
【００２８】
（６）テスト信号に対応する応答信号を通信テスト用通信部３が受信したか否か、すなわち、通信テストに成功したか否かを確認する。通信テストに成功したときには、テスト信号の発信先とした端末装置が関係する通信を正常に行うことができると判定し、通信テストに失敗したときには、テスト信号の発信先とした端末装置が関係する通信を正常に行うことができないと判定する。そして、判定結果を監視センター装置１の稼動情報記憶部７に書き込む。
【００２９】
また、監視センター制御部５は、前記予め設定された時間帯内において収集センター装置３０により１ヶ月分の稼動情報を収集する対象となっていない端末装置が関係する通信を正常に行うことができるか否かの点検を、通信テストを行なう予定時刻よりも前に行った別の通信に成功したか否かに基づいて行う第３点検手段としても機能するようになっている。
【００３０】
言い換えると、監視センター制御部５が次の（７）〜（９）の動作を行うようになっている。
【００３１】
（７）通信テストリストを作成した後に端末装置４０−１〜４０−ｎのいずれかと監視センター装置１との間で通信テストとは別の通信が行われた場合、別の通信を行った端末装置の識別番号と、通信テストリストに含まれる識別番号とを基に、別の通信を行った端末装置が通信テストの対象か否かを確認する。
【００３２】
（８）別の通信を行った端末装置が通信テストの対象であった場合、前記予め設定された時間帯内であって通信テストを行う予定時刻よりも前に別の通信が行われたか否かを確認する。
【００３３】
（９）前記予め設定された時間帯内であって通信テストの予定時刻よりも前に別の通信が行われていた場合、別の通信時において通常通信部２が情報の受信に成功したか否を確認する。情報の受信に成功していたときには、別の通信を行った端末装置が関係する通信を正常に行うことができると判定し、タイムアウトやエラーにより情報の受信に失敗していたときには、別の通信を行った端末装置が関係する通信を正常に行うことができないと判定する。そして、判定結果を監視センター装置１の稼動情報記憶部７に書き込む。
【００３４】
また、監視センター制御部５は、第３点検手段による点検を行った端末装置および通信回線に対しては、第２点検手段による点検を行わないようになっている。具体的には、監視センター制御部５は、第３点検手段による点検を行った後は、その点検対象となった端末装置が関係する通信に対する通信テストを終了したものとして処理するようになっている。
【００３５】
このように構成した本実施形態は次の〔１〕，〔２〕のように動作する。
【００３６】
〔１〕設備機器の遠隔監視
端末装置４０−１〜４０−ｎのぞれぞれの動作は同様なので、端末装置４０−１と監視センター装置１とによる遠隔監視時の動作を例に挙げて説明する。
【００３７】
端末装置４０−１において、端末制御部４３は、設備機器の異常を検知すると、通信部４１を制御して、通信回線群２０のうちの通信部４１に自身に割り当てられた通信回線を第１回線制御装置２１に接続する。これに伴い、第１回線制御装置２１は、通信部４１に割り当てられた通信回線を監視センター装置１の通常通信部２に接続する。端末制御部４３は、通信部４１と通常通信部２とが回線接続されたことを確認すると、通信部４１を制御して、設備機器の異常を示す稼動情報（以下「異常情報」という）を通信部４１から発信させる。
【００３８】
監視センター装置１において、通常通信部２が前記異常情報を受信すると、監視センター制御部５は、異常情報に含まれる識別番号に一致するものを、監視端末装置リスト格納部４に格納されている監視端末装置リストのうちから探し出し、異常情報の発信元が端末装置４０−１であることを特定する。そして、異常情報を稼動情報記憶部７に格納するとともに、表示・入力部６を制御して異常情報を表示する。
【００３９】
また、監視センター装置１において、表示・入力部６が操作されて、端末装置４０−１に対応する設備機器の現在の稼動状況を表示する旨が指令されることがある。この場合、監視センター制御部５は、通常通信部２と端末装置４０−１の通信部４１とを回線接続するための通常通信部２の制御を行う。これに伴い、通常通信部２は、第１回線制御装置２１に対して、自身を端末装置４０−１の通信部４１に回線接続する旨を指令する。この指令を受けた第１回線制御装置２１は、通信部４１に割り当てられた通常回線を通信回線群２０のうちから選択し、通常通信部２と通信部４１とを回線接続する。
【００４０】
監視センター制御部５は、通常通信部２と通信部４１とが回線接続されたことを確認すると、通常通信部２を制御して、設備機器の稼動情報を要求する要求信号を、通常通信部２から発信させる。端末装４０−１において、通常通信部２からの要求信号を通信部４１が受信すると、端末制御部４３は、通信部４１が要求信号を受信した時点以前の所定時間の稼動情報を、現在の稼動情報として設備情報記録部４２から読み出し、通信部４１から発信させる。
【００４１】
監視センター装置１において、端末装置４０−１からの前記現在の稼動情報を通常通信部２が受信すると、監視センター制御部５は、その稼動情報の発信元が端末装置４０−１であることを特定した後、表示・入力部６を制御して、現在の稼動情報を表示する。
【００４２】
〔２〕端末装置および通信回線の点検
＜第１点検手段よる点検＞
収集センター装置３０において、収集センター制御部３３は、予め設定された時刻になると、収集時刻リストを作成し、収集時刻リスト格納部３５に格納する。そして、予め設定された時間帯において、収集時刻リストから特定される端末装置４０−１〜４０−ｎのそれぞれから順次１ヶ月分の稼動情報を収集するための情報収集用通信部３１の制御を行い、情報収集用通信部３１が各端末装置からの１ヶ月分の稼動情報の受信に成功したか否かを確認し、その結果を、監視センター装置１の稼動情報記憶部７に書込む。
【００４３】
このようにして、予め設定された時間帯内において収集センター装置３０により１ヶ月分の稼動情報の収集を行う対象となっていた端末装置が関係する通信を正常に行うことができるか否かの点検が終了する。
【００４４】
＜第２点検手段による点検＞
監視センター装置１において、監視センター制御部５は、予め設定された時刻になると、監視端末装置リストと収集日時リストとを基に通信テストリストを作成し、通信テストリストリスト格納部８に格納する。そして、予め設定された時間帯において、通信テストリストから特定される端末装置のそれぞれに向けて、順次通信テスト用通信部３からテスト信号を発信させ、通常通信部２が各テスト信号に対応する応答信号を受信するか否か、すなわち、通信テストに成功したか否かを確認し、その結果を稼動情報記憶部７に書込む。
【００４５】
このようにして、予め設定された時間帯内において収集センター装置３０により１ヶ月分の稼動情報を収集する対象となってなかった端末装置が関係する通信を正常に行うことができるか否かの点検が終了する。
【００４６】
＜第３点検手段による点検＞
また、監視センター制御部５は、通信テストリストを作成した後に端末装置４０−１〜４０−ｎのいずれかと監視センター装置１との間で通信テストとは別の通信、例えば〔１〕で述べた通信が行われた場合、別の通信を行った端末装置の識別番号と、通信テストリストに含まれる識別番号とを基に、別の通信を行った端末装置が通信テストの対象か否かを確認する。
【００４７】
次に、別の通信を行った端末装置が通信テストの対象であった場合、前記予め設定された時間帯内であって通信テストを行う予定時刻よりも前に、別の通信が行われたか否かを確認する。前記予め設定された時間帯内であって通信テストを行う予定時刻よりも前に別の通信が行われていた場合、別の通信時において通常通信部２が情報の受信に成功したか否を確認し、その結果を稼動情報記憶部７に書込み、別の通信を行った端末装置が関係する通信に対する通信テストを終了したものとする。
【００４８】
なお、監視センター装置１おいて、表示・入力部６が操作されて第１〜第３点検手段による点検結果の表示が指令されると、監視センター制御部５が稼動情報記憶部７から点検結果を読出し、表示・入力部６に表示する。
【００４９】
本実施形態によれば次の効果を得られる。
【００５０】
本実施形態では、予め設定された時間帯内において収集センター装置３０により１ヶ月分の稼動情報を収集する対象となっている端末装置が関係する通信を正常に行うことができるか否かの点検を、１ヶ月分の稼動情報を収集するための通信に成功したか否かに基づいて行い、予め設定された時間帯内において収集センター装置により１ヶ月分の稼動情報を収集する対象となっていない端末装置が関係する通信を正常に行うことができるか否かの点検を、通信テストに成功したか否かに基づいて行う。これらにより、複数の端末装置のそれぞれが関係する通信を正常に行うことができるか否かの点検と、複数の端末装置のそれぞれからの所定期間分の稼動情報の収集とを、効率的に行うことができる。
【００５１】
また、本実施形態では、予め設定された時間帯内において収集センター装置３０により１ヶ月分の稼動情報を収集する対象となっていない端末装置が、通信テストを行う予定時刻よりも前に、この通信テストとは別の通信を行った場合、その端末装置が関係する通信を正常に行うことができるか否かの点検を、第３点検手段がその別の通信に成功したか否かに基づいて行い、このように第３点検手段による点検を行った端末装置および通信回線に対しては、第２点検手段による点検を行わない。これにより、通信テストを行うための通信回線の使用頻度を少なくできる。
【図面の簡単な説明】
【００５２】
【図１】本発明の遠隔監視装置の一実施形態を示すブロック図である。
【符号の説明】
【００５３】
１    監視センター装置
２    通常通信部
３    通信テスト用通信部
４    監視端末装置リスト格納部
５    監視センター制御部
６    表示・入力部
７    稼動情報記憶部
８    通信テストリスト格納部
２０  通信回線群
２１  第１回線制御装置
２２  第２回線制御装置
３０  収集センター装置
３１  情報収集用通信部
３２  収集日時リスト格納部
３３  収集センター制御部
３４  収集情報記憶部
３５  収集時刻リスト格納部
４０−１〜４０−ｎ  端末装置
４１  通信部
４２  設備情報記録部
４３  端末制御部
【図１】
2007129315.tif 000003